(57)【特許請求の範囲】
【請求項１】
背板に対して脚板を体側方向にスライド及び着脱可能とした手術台において、前記脚板の下部に牽引ア−ムを回動自在に枢着した軸を固定設置し、更に該軸の上部には股間支柱を取り付ける尻板を固定した可動台をスライド可能に設置したレ−ルを固定して成ることを特徴とする手術台。
【発明の詳細な説明】
【０００１】
【産業上の利用分野】
この発明は、手術台に関し、特に大腿骨部等の手術に際し尻板の取付け方向を間違うことなくセッティングすることができ看護婦及び術者等の負担も軽減することのできる下肢牽引機構を備えた手術台に関する。
【０００２】
従来、大腿骨頭部等を手術する際には、Ｘ線透視撮影装置による術部の透視範囲を確保するため、手術台上において患者の位置を側方及び下方に若干ずらせてＸ線撮影が行われる。例えば、図８（Ａ）及び図８（Ｂ）に示すように、患者Ｍの背部を背板１に、腰部を尻板６に載せ（これらの図では患者Ｍは手術台に載せてからすでに側方にずらせてある）、患者Ｍに靴Ｓを履かせて患者の股間が股間支柱７に密着するようにずらし、牽引ア−ム４ａ、４ｂで必要な牽引をかけ、Ｘ線透視撮影装置８によって患者の術部を透視撮影する。この場合、尻板６及び股間支柱用ア−ム９（後述）は手術する足に合わせてその向きを変えるようになっている。
【０００３】
上記する従来の手術台において患者をセッティングする場合の方法を図５乃至図７に基づいて説明する。
（１）先ず、図５（Ａ）及び図５（Ｂ）に示すように、背板１にはスライド機構２により脚板３ａ、３ｂが該背板１に対して相対的に体側方にスライド且つ着脱できるように取付けられている。脚板３ａ、３ｂの下部の背板１中心線上には牽引ア−ム４ａ、４ｂを回動自在に枢着した軸５が固定して配置されている。そして該軸５上には牽引ア−ム４ａ、４ｂが回動可能に取付けられ、更に、該股間支柱用ア−ム９の端部には尻板６が軸１０回りに回動可能に設置されている。この場合、股間支柱用ア−ム９及び尻板６は患者を載せる前に、手術する足が右足か左足かによってその方向を決めて取り付けるようになっている。尚、該軸１０には前期股間支柱７（図８参照）が着脱自在に取付けられる。
（２）背板１及び脚板３ａ、３ｂに患者を載せ、患者の一方の術部（例えば右側の大腿部）を透視撮影する場合、図６（Ａ）及び図６（Ｂ）に示すように、脚板３ａ、３ｂを側方にスライドさせる。このとき脚板３ａと脚板３ｂとの間の尻板６上から軸１０に股間支柱７を立設できるようになる。
（３）次に、図７（Ａ）及び図７（Ｂ）に示すように、脚板３ａ、３ｂを外し軸１０を中心として尻板６を９０度回転させ、尻板６の上の端部に股間支柱７を立てて患者の股間を股間支柱７に密着させるようにずらせる。そして牽引ア−ム４ａ、４ｂで患者の足を必要なだけ牽引する。
【０００４】
【発明が解決しようとする課題】
上記するように、従来の手術台では患者を背板１及び脚板３ａ、３ｂに載せる前に手術する足が右足か左足かによって股間支柱用ア−ム９及び尻板６の向きを決めて取付けなければならない。しかし、患者の手術箇所は右足の場合も左足の場合もあり多数の患者を手術する場合、間違えやすいという問題がある。従って、若し股間支柱用ア−ム９及び尻板６の向きを間違えていると、患者を元の位置に戻し手術台から下ろして取付け直すか、患者に無理な体位を取らせて修正しければならず、作業も煩雑で患者及び術者の双方に負担がかかるという問題があった。
【０００５】
この発明は上記する課題に着目してなされたものであり、患者を載せた状態で側方に移動させ、右足か左足か間違えた場合でも簡単に修正可能で、また尻板の向きを変える必要もなく患者及び術者のいずれにも負担とならない手術台を提供することを目的とする。
【０００６】
【課題を解決するための手段】
即ち、この発明は上記する課題を解決するために、背板に対して脚板を体側方向にスライド及び着脱可能とした手術台において、前記脚板の下部に牽引ア−ムを回動自在に枢着した軸を固定設置し、更に該軸の上部には股間支柱を取り付ける尻板を固定した可動台をスライド可能に設置したレ−ルを固定して成ることを特徴とする。尚、前記可動台には該可動台をレ−ルの任意の位置で固定する固定具を取り付けてもよい。
【０００７】
【作用】
手術台を上記手段とすると、患者を一方の側方へ移動させる場合、単に脚板を移動させれば該脚板によって股間支柱が押され尻板（即ち、可動台）も同時に移動させることができる。また、患者を側方に移動させた場合、若し右足と左足を間違えているときには、単に逆方向に脚板を移動させれるだけで正しい方向に移動させることができる。この場合、尻板（即ち、可動台）はレ−ル上をスライドさせるだけで済むので患者も術者も修正作業が負担になることもなく、また煩雑となることもない。
【０００８】
【実施例】
以下、この発明の具体的実施例について図面を参照して説明する。
図１（Ａ）はこの発明の手術台の要部を示す平面図、図１（Ｂ）は正面図である。尚、構成要素で従来技術で説明した部分と共通のものは重複を避けるため同一の符号を用いて説明する。
患者を載せる背板１には、スライド機構２により脚板３ａ、３ｂが横方向（体側方）にスライドできるように且つ該背板１に着脱可能に取り付けられている。該脚板３ａ、３ｂの下部には、背板１のほぼ中心線上に牽引ア−ム４ａ、４ｂを回動自在に枢着した軸５が固定して設置されている。また、該軸５の上にはレ−ル１１が溶接等により固定して設置され、更に該レ−ル１１には可動台１２がスライド可能に嵌め込まれている。
【０００９】
前記可動台１２は、図２に示すように、溝部１２ａが形成されており、該溝部１２ａをレ−ル１１に嵌め入れスライドさせるようにしたものであるが、この可動台１２にはレ−ル１１上の任意の位置で動かないように固定するための固定具１３が取付けられている。即ち、この固定具１３は、可動台１２に設けた雌ねじに螺合させた雄ねじ１３ａをつまみ１３ｂで回してレ−ル１１の側面に固定するようにしたものである。
【００１０】
また、前記可動台１２の上には尻板６の裏面が固定され、更に該尻板６の上にはほぼ中心線上に股間支柱７が着脱自在に且つ脚板３ａ、３ｂの上に突出するように取り付けられている。従って、脚板３ａ、３ｂが背板１に対して横方向（患者の体側方向）に移動すると股間支柱７と尻板６及び可動台１２も一体になって移動する。尚、前記レ−ル１１の両端部には可動台９が外れないようストッパ（図示省略）を設けることが望ましい。
【００１１】
図３（Ａ）は、脚板３ａ、３ｂを背板１に対して一方へ移動させた状態（患者を体の右側方へ移動させた状態）の平面図、図３（Ｂ）はその正面図である。
即ち、この手術台では患者を一方の側方へ移動させる場合、固定具１３のつまみ１３ｂを緩め単に脚板３ａ、３ｂを移動させれば該脚板３ａ、３ｂによって股間支柱７が押され尻板６（即ち、可動台９）も同時に移動させることができるので所定の位置で固定具１３のつまみ１３ｂで可動台１２を固定すればよい。
【００１２】
前記脚板３ａ、３ｂ及び尻板６（可動台９）を体側方に移動させた後、図４（Ａ）及び図４（Ｂ）に示すように、患者の股間を股間支柱７に密着させるようにずらせ、そして脚板３ａ、３ｂを外し牽引ア−ム４ａ、４ｂで患者の足を必要なだけ牽引する。
【００１３】
上記構成とした手術台において、患者を側方に移動させた場合、若し右足と左足を間違えているときには、固定具１３のつまみ１３ａを緩め、単に逆方向に脚板３ａ、３ｂを移動させるだけで正しい方向に移動させることができる。この場合、尻板６、即ち可動台１２はレ−ル１１上をスライドさせるだけで済むので患者も術者も修正作業が負担になることもなく、また煩雑となることもない。更に、前記尻板６を固定した可動台１２は、溝部１２ａをレ−ル１１に上から嵌め入れるだけであるため取り付け、取外しも極めて簡単であり安価に製作することができる。
【００１４】
【発明の効果】
以上詳述したようにこの発明の手術台によれば、患者を載せた状態で左右の側方に簡単に移動させることができる。従って、従来のように患者の左右の術部位置を間違えた場合、股間支柱及び尻板の間違いを訂正する際の煩わしい修正を行う必要がなく、単に脚板を移動させるだけで良い。また、患者及び看護婦や術者の負担も軽減される。
【図面の簡単な説明】
【図１】図１（Ａ）はこの発明の手術台の要部を示す平面図、図１（Ｂ）は正面図である。
【図２】図１（Ａ）のＡ−Ａ矢視断面図であって、この発明の手術台を構成する可動台と、該可動台を固定する固定具を示す図である。
【図３】図３（Ａ）はこの発明の手術台の脚板を背板に対して体側方へ移動させた状態の平面図、図３（Ｂ）はその正面図である。
【図４】図４（Ａ）はこの発明の手術台の脚板を背板に対して体側方へ移動させ脚板を外した状態の平面図、図４（Ｂ）はその正面図である。
【図５】図５（Ａ）は従来の手術台の要部を示す平面図、図５（Ｂ）は正面図である。
【図６】図６（Ａ）は従来の手術台の脚板を背板に対して体側方へ移動させ脚板を外した状態の平面図、図６（Ｂ）はその正面図である。
【図７】図７（Ａ）は従来の手術台で患者及び尻板を側方に移動させた後脚板を外した状態の平面図、図４（Ｂ）は正面図である。
【図８】図８（Ａ）は従来の手術台に患者を載せ、Ｘ線透視撮影装置で術部を透視する状態の平面図、図８（Ｂ）はその正面図である。
【符号の説明】
１  背板                ３ａ、３ｂ  脚板
４ａ、４ｂ  牽引ア−ム
５  軸                          ６  尻板
７  股間支柱                  １１  レ−ル
１２  可動台                  １３  固定具
【図１】
0003555251.tif 000002
【図２】
0003555251.tif 000003
【図３】
0003555251.tif 000004
【図４】
0003555251.tif 000005
【図５】
0003555251.tif 000006
【図６】
0003555251.tif 000007
【図７】
0003555251.tif 000008
【図８】
0003555251.tif 000009